(57)【要約】【解決手段】瓶Ｐの口部外周に外嵌する側壁部１と瓶Ｐの口部上端面に密着する天板２とを一体に形成する。口部外周に形成された係止溝部Ｐ１に嵌合係止する係止突部１Ａを側壁部１に設ける。口部内周縁に嵌合する嵌合片２Ａを天板２の下面に突設する。側壁部１の前面一部に指掛け用の係止突起３を設ける。前記側壁部１を縦方向に切り離す一対の縦弱化ライン１Ｂを係止突起３の両がわに設ける。該縦弱化ライン１Ｂの各上端部から口部の外周縁に沿って天板２を横方向に切り離す一対の横弱化ライン２Ｂを設ける。【効果】老人や子供でも容易に取り扱うことができる。開封が容易で、再封も確実に行える。【選択図】　　　図１
2004026208.tif 000002
【特許請求の範囲】
【請求項１】
瓶の口部外周に外嵌する側壁部と瓶の口部上端面に密着する天板とを一体に形成し、口部外周に嵌合係止する係止突部を側壁部に設け、口部内周縁に嵌合する嵌合片を天板の下面に突設した飲料容器用キャップにおいて、側壁部の前面一部に指掛け用の係止突起を設け、該側壁部を縦方向に切り離す一対の縦弱化ラインを係止突起の両がわに設け、該縦弱化ラインの各上端部から口部の外周縁に沿って天板を切り離す一対の横弱化ラインを設けたことを特徴とする飲料容器用キャップ。
【請求項２】
前記縦弱化ラインは、前記係止突起の中央部を中心とする左右対称の位置で、該中心から夫々６０°〜７５°の角度を成す位置に形成された請求項１記載の飲料容器用キャップ。
【請求項３】
前記横弱化ラインは、天板の中心より前記縦弱化ラインに至る仮想線から、前記側壁部の後面方向に夫々３０°〜４５°の角度に至る範囲に形成された請求項１記載の飲料容器用キャップ。
【発明の詳細な説明】
【０００１】
【発明の属する技術分野】
本発明は、例えば牛乳瓶等の飲料用容器に用いるキャップに係り、開封が容易で、再封も確実に行える飲料容器用キャップに関する。
【０００２】
【従来の技術】
牛乳瓶などに使用する蓋体の改良として、例えば、特開平１１−７０９６４号公報に記載された天板付キャップシールなどが提案されている。このキャップシールは、瓶の開口部に落とし込んだ蓋体の上に、更に天板を設け、この天板と開口部とをシール材で被覆したものである。
【０００３】
一方、一旦開封した蓋体を再びもとの容器に施蓋できるようにした蓋体として特開平９−４７４８５号公報に記載された薬用瓶の蓋が提案されている。この蓋体は、逆有底円筒状に形成した口金と、その口金内に装着する合成樹脂製の蓋板との組合せとし、蓋板の上面部分が口金の頂面から露出するように構成したものである。
【０００４】
【発明が解決しようとする課題】
牛乳瓶に使用されていた従来の蓋体は、専ら飲み切りサイズの瓶に使用されており、開口部をシール等で被覆するようにしている。このようなシール等を用いた蓋体では、一度シールを剥がしてしまうと再封はできないので、瓶の開口部が露出するものであった。ところが、生活スタイルの多様化と共に、どのようなサイズの瓶でも再封可能な蓋体が望まれる傾向になってからは、牛乳瓶などの飲料容器用の蓋体にも再封可能な蓋体が望まれるようになっている。
【０００５】
一方、再封可能な蓋体として開発された後者の薬用瓶の蓋は、蓋体の外周に捲き付けている口金を切り取って外した後に、蓋体を開封する構造を採用している。そのため、口金を取り外す作業が煩わしく、薬用瓶の蓋として好適であっても、飲料容器の蓋として採用するには、きわめて扱い難い構造になっている。特に、飲料容器に用いる蓋は、老人や子供でも容易に扱える構造が望まれる。
【０００６】
そこで本発明は上述の課題を解消すべく創出されたもので、開封が容易で、再封も確実に行える飲料容器用キャップの提供を目的とするものである。
【０００７】
【課題を解決するための手段】
上述の課題を解消するため本発明の第１の手段は、瓶Ｐの口部外周に外嵌する側壁部１と瓶Ｐの口部上端面に密着する天板２とを一体に形成し、口部外周に嵌合係止する係止突部１Ａを側壁部１に設け、口部内周縁に嵌合する嵌合片２Ａを天板２の下面に突設した飲料容器用キャップにおいて、側壁部１の前面一部に指掛け用の係止突起３を設け、前記側壁部１を縦方向に切り離す一対の縦弱化ライン１Ｂを係止突起３の両がわに設け、該縦弱化ライン１Ｂの各上端部から口部の外周縁に沿って天板２を横方向に切り離す一対の横弱化ライン２Ｂを設けたことにある。
【０００８】
第２の手段における縦弱化ライン１Ｂは、前記係止突起３の中央部を中心とする左右対称の位置で、該中心から夫々６０°〜７５°の角度を成す位置に形成したものである。
【０００９】
第３の手段の横弱化ライン２Ｂは、天板２の中心より前記縦弱化ライン１Ｂに至る仮想線から、前記側壁部１の後面方向に夫々３０°〜４５°の角度に至る範囲で形成することを課題解消のための手段とする。
【００１０】
本発明によると、係止突起３を指で押し上げると、側壁部１の縦弱化ライン１Ｂが切り離される。更に、切り離された側壁部１を持ち上げると、天板２の横弱化ライン２Ｂが切り離され、瓶Ｐの係止溝部Ｐ１から蓋体が外れることになる。再封する場合は、天板２の嵌合片２Ａを口部内周縁に嵌合すると共に、側壁部１の係止突部１Ａを瓶Ｐの係止溝部Ｐ１に係合させることで、縦弱化ライン１Ｂや横弱化ライン２Ｂが切り離されていても、もとの状態に再封することができる。
【００１１】
【発明の実施の形態】
以下、図面に基づいて本発明の実施の形態を説明する。
【００１２】
本発明キャップは、軟質性の合成樹脂によって形成されるもので、瓶Ｐの口部外周に外嵌する側壁部１と、瓶Ｐの口部上端面に密着する天板２とを一体に形成したものである（図１参照）。
【００１３】
側壁部１の内周面に、係止突部１Ａを突設している。この係止突部１Ａは、瓶Ｐの口部外周に嵌合係止する（図２参照）。図示の係止突部１Ａは、係止溝部Ｐ１に嵌合する一条の係止突部１Ａを示しているが、係止溝部Ｐ１の数によって係止突部１Ａの数も任意に増やすことができる。また、係止溝部Ｐ１に嵌合する代わりに、口部の張り出した側面下端部に係止する係止突部１Ａを使用することも可能である（図示せず）。
【００１４】
側壁部１の前面一部に設けた係止突起３は、キャップを開ける際の指掛け用として使用する。そしてこの係止突起３の両がわに一対の縦弱化ライン１Ｂを設けている。
【００１５】
縦弱化ライン１Ｂは、側壁部１を縦方向に切り離すように、薄肉状に形成したもので、天板２中央から係止突起３の中央部に至る線を中心線Ｘとし、この中心線Ｘの左右対称の位置に設ける。最適な位置は、該中心線Ｘから夫々６０°〜７５°の角度を成す位置とする（図３参照）。図示の縦弱化ライン１Ｂは、中心線Ｘから夫々７５°の角度を成す位置に設けている。この位置に設けることで、縦弱化ライン１Ｂを切り離す際に、最も少ない荷重で切り離すことが可能になる。また、中心線Ｘから夫々７５°を超える場合は、縦弱化ライン１Ｂが切り離されず、最終的に過大な荷重によってキャップが外れてしまうことがわかる（表１参照）。
【００１６】
【表１】
2004026208.tif 000003
表１は、本発明キャップにおける縦弱化ラインと横弱化ラインとの破断テストの結果を示したものである。このテストは、左右の縦弱化ライン１Ｂの角度を４段階に分けて実施し、瓶Ｐに装着したキャップの係止突起３を持ち上げた際に、夫々の縦弱化ライン１Ｂが何ｋｇで破断するかを測定した。尚、実施角度は、左右の縦弱化ライン１Ｂ相互の角度になっているので、中心線Ｘから各横弱化ライン２Ｂに至る角度の二倍になっている。
【００１７】
この結果、縦弱化ライン１Ｂ相互を１２０°（中心線Ｘから６０°）に設定したときに、平均１．１ｋｇで破断し、１５０°（中心線Ｘから７５°）に設定したときに、平均０．９３ｋｇで破断した。また、１８０°（係止突起３の中心から９０°）以上に設定すると、縦弱化ライン１Ｂが切り離されず、最終的にキャップが外れてしまった。尚、縦弱化ライン１Ｂ相互を１２０°以内に設定した場合は、この縦弱化ライン１Ｂから後述する横弱化ライン２Ｂを切り離す距離が長くなるので、キャップの取り外し操作上、適当でないとして予め除外している。
【００１８】
天板２の下面に、口部内周縁に嵌合する嵌合片２Ａを突設する（図２参照）。この嵌合片２Ａは、キャップを再封する際に、瓶Ｐの口部を密封するものであるから、嵌合力が強くなる程、密封力を高めることができる。図示の嵌合片２Ａは先端にテーパー２Ａａを設けて嵌合し易くしている。また、嵌合片２Ａの形状は再封時に口部を密封できればよく、その形状は任意に変更することができる。
【００１９】
横弱化ライン２Ｂは、天板２に設けた薄肉状のラインで、前述した縦弱化ライン１Ｂの各上端部から口部の外周縁に沿って切り離すように一対設けている。この横弱化ライン２Ｂは、天板２の中心より前記縦弱化ライン１Ｂに至る仮想線Ｙから、前記側壁部１の後面方向に夫々３０°〜４５°の角度に至る範囲で形成する（図３参照）。図示の横弱化ライン２Ｂは、仮想線Ｙから夫々３０°に至る範囲で形成している。この角度は、前記縦弱化ライン１Ｂの最適角度（最も弱い力で切り離すことが可能な中心線Ｘから７５°の角度）と組み合わせることによって、最も短い距離で天板２の直径部分前後を効果的に切断できるので、横弱化ライン２Ｂとして最適な角度になっている。
【００２０】
また、横弱化ライン２Ｂが切り離されると、本発明キャップにおける直径部分と該直径部分の前後とが切り離されるので、取り外したキャップを容易に再封することができる。すなわち、切り離されたキャップ前面がわと、後面がわとの各嵌合片２Ａを口部内側面に別々に嵌合することができるから、一方の嵌合片２Ａを嵌合すると、その後は、天板２を押し込むだけで残りの嵌合片２Ａを簡単に再封する事ができる（図４（ハ）参照）。したがって、嵌合片２Ａの密封力を高めるために、嵌合片２Ａの嵌合力を強く設定しても容易に再封できる利点がある。
【００２１】
尚、縦弱化ライン１Ｂの角度を中心線Ｘから６０°に設定した場合は、この横弱化ライン２Ｂの設定範囲は、仮想線Ｙから４５°に至る範囲に設定するものである（図示せず）。更に、これら縦弱化ライン１Ｂ、横弱化ライン２Ｂの角度設定はキャップの材質やサイズ等の変更により、前記範囲内で適宜変更することができる。
【００２２】
図４（イ）乃至（ハ）は、本発明キャップの開閉操作を示している。すなわち同図（イ）は、係止突起３に親指を掛けて持ち上げ、縦弱化ライン１Ｂから横弱化ライン２Ｂを順次切り離している状態を示している。また、同図（ロ）は、本発明キャップを瓶Ｐの口部から取り外した状態、又は、取り外したキャップを口部に再封する状態を示す。そして、同図（ハ）は、嵌合片２Ａを口部内周縁に嵌合させている状態を示している。
【００２３】
【発明の効果】
本発明は上述の如く構成したことにより当初の目的を達成した。
【００２４】
すなわち、側壁部１の前面一部に指掛け用の係止突起３を設け、前記側壁部１を縦方向に切り離す一対の縦弱化ライン１Ｂと、該縦弱化ライン１Ｂの各上端部から口部の外周縁に沿って天板２を横方向に切り離す一対の横弱化ライン２Ｂとを設けたことにより、係止突起３に指を掛けて上方へ持ち上げることで、縦弱化ライン１Ｂと横弱化ライン２Ｂとを簡単に切り離すことができるので、蓋を開口する操作が極めて容易になる。
【００２５】
また、口部外周に嵌合係止する係止突部１Ａを側壁部１に設け、該口部内周縁に嵌合する嵌合片２Ａを天板２の下面に突設しているので、再封する場合は、天板２の嵌合片２Ａを口部内周縁に嵌合することで、瓶Ｐを再び密封することができる。この結果、収納物がこぼれるおそれがなくなり、また、瓶Ｐの口部も側壁部１によって保護される。
【００２６】
更に、縦弱化ライン１Ｂは、前記係止突起３の中央部を中心とする左右対称の位置で、該中心から夫々６０°〜７５°の角度を成す位置に形成したことにより、縦弱化ライン１Ｂを切り離す際に大きな力は必要なく、老人や子供でも容易に切り離すことが可能である。
【００２７】
また、横弱化ライン２Ｂは、天板２の中心より前記縦弱化ライン１Ｂに至る仮想線から、前記側壁部１の後面方向に夫々３０°〜４５°の角度に至る範囲で形成しているので、縦弱化ライン１Ｂに続けて横弱化ライン２Ｂを切り離す作業も極めて簡単に行える。このように、縦弱化ライン１Ｂから横弱化ライン２Ｂまでを切り離した後は、瓶Ｐの係止溝部Ｐ１に嵌合している係止突部１Ａを大幅に開放することができるので、老人や子供でも本発明キャップを極めて容易に外すことができる。
【００２８】
しかも、横弱化ライン２Ｂが切り離されると、本発明キャップにおける直径部分と該直径部分の前後とが切り離されるので、取り外したキャップを容易に再封することができる。このように、キャップを開封した後でも簡単且つ確実に再封できるので、飲み切りサイズの瓶から容量の大きな瓶に至るまで使用することが可能になり、汎用性に富むものである。
【００２９】
このように、本発明によると、老人や子供でも容易に取り扱うことができ、再封も確実に行えるなどといった種々の効果を奏するものである。
【図面の簡単な説明】
【図１】本発明キャップにおける施蓋状態を示す斜視図である。
【図２】本発明キャップにおける施蓋状態を示す一部切り欠き斜視図である。
【図３】本発明キャップにおける横弱化ラインの位置実施例を示す平面図である。
【図４】本発明キャップの取り外し状態を示す斜視図である。
【図５】本発明キャップにおける縦弱化ラインと横弱化ラインとの破断テストの条件を示す平面である。
【符号の説明】
Ｘ　中心線
Ｙ　仮想線
Ｐ　瓶　　　　　　　　Ｐ１　係止溝部
１　側壁部　　　　　　１Ａ　係止突部
１Ｂ　縦弱化ライン
２　天板　　　　　　　２Ａ　嵌合片
２Ａａ　テーパー
２Ｂ　横弱化ライン
３　係止突起
【図１】
2004026208.tif 000004
【図２】
2004026208.tif 000005
【図３】
2004026208.tif 000006
【図４】
2004026208.tif 000007
【図５】
2004026208.tif 000008